(57)【特許請求の範囲】
【請求項１】
フックの外周の形状を基本形とし、その基本形と同じ形状をフックの口の開きの限界値分だけ口の開き方向に平行移動させて基本形に重ね合わせ、その両形状を包絡する形状を持つフック検査用限界ゲージ。
【請求項２】
フックの外周の形状を基本形とし、その基本形と同じ形状を、フックの最下点を中心にフックの先端部を、フックの口の開きの限界値分だけフックの口が開くように、外向きに回転させて基本形に重ね合わせ、その両形状を包絡する形状を持つフック検査用限界ゲージ。
【請求項３】
ゲージとして製作する範囲を、フックの口の周囲の部分に限定した請求項１又は請求項２のフック検査用限界ゲージ。
【請求項４】
フックの外周に当たる部分を分離し、その二つの部分を相対的距離、又は、相対的距離及び相対的角度を調整可能につないだ請求項３のフック検査用限界ゲージ。
【発明の詳細な説明】
【０００１】
【発明が属する技術分野】
本発明は、チェーンブロック、ホイスト等揚重装置のフックの検査用器具に関するものである。
【０００２】
【従来の技術】
チェーンブロックやホイスト等の揚重装置のフックは、揚重時に極めて大きな荷重を受け、厳しい使用条件にさらされている。長い期間厳しい条件で使用されたフックは次第に変形を起こし、ついには使用限度を超え、揚重装置の定格荷重以内においても安全な使用に耐えなくなる。
そこで、揚重装置のメーカは、フックの形状のチェックを定期点検マニュアルの重要項目として定め、特に、図６に示すフック１の口２の開きの変形（増加）には、各メーカとも限界値３を定め、定期点検の度に口の開き寸法を測り、その寸法が限界値を超えたフックは以後使用しないように要求している。
【０００３】
しかし、フックは全体として、図６のＡ−Ａ矢視端面図に示すような三次元の形状を成し、測定すべき口の開き部分の両側も三次元の曲面からなっているので、口の開きをノギス等で測ろうとしても、どの２点の間を測るか定めがたく、新品時に比べてわずか５％程度の寸法の変化を正確に捉えて判断することは困難である。そのうえ、フックの口の部分には、玉掛用ワイヤーの外れ防止金具４が着いているので、それが邪魔になってさらに計測を困難にしている。
【０００４】
計測が困難で、判断が難しいために、フックの口の開きの変形のチェックの重要性は良く分かっていても、現場ではなかなかマニュアル通りに管理が実施されないのが現状であった。
【０００５】
【発明が解決しようとする課題】
現場で容易にフックの口の開きの計測ができ、非熟練者でもそのフックが使用限界を超えているか否かを容易に判断でき、持ち運び、取り扱い、及び、製作が容易な検査用の器具を提供する。
【０００６】
【課題を解決するための手段】
本発明は、フックの外周の形状を基本形とし、その基本形と同じ形状をフックの口の開きの限界値分だけ口の開き方向に平行移動させて基本形に重ね合わせ、その両形状を包絡する形状を持つフック検査用限界ゲージである。
【０００７】
定期検査において揚重装置のメーカが、測定し管理することを要求する対象は、フックの口の内法寸法であるが、これを直接測ることは困難なため、内法に替えて外周寸法の変化で間接的に測定をするものである。
一般に、フックにかかる荷重はその吊荷による下向き荷重であるから、フックの疲労による変形はフックの曲りをほどくように、すなわち、その口を開くように生じ、その際フックの曲がり軸に直角な各断面の形状はほとんど変わらないと考えられる。そこで、フックの口の内法寸法が限界値だけ大きくなるときは、フックの口の周りの外周寸法も近似的にその限界値だけ大きくなるはずである。
以上の想定に基づいて、フックの外周を対象とする限界ゲージを作成し、それを用いてフックの口の開きを管理しようという考え方である。したがって、上記の想定に合わない事態が生じているとき、例えば、フックの形状が局部的に変形したり、フックがねじれるように変形している場合等には、本限界ゲージに頼ることなく、別途、検査マニュアルに従って判断されなければならないことは言うまでも無い。
【０００８】
まず、フックの外周、すなわち、玉掛用ワイヤーの懸かるフックの内側ではなく、外側の円弧状の形状を基本形として、その基本形と同じ形状を、フックの口の開きの限界値に相当する分だけ口の開く方向に平行移動させて基本形に重ね合わせ、両形状を包絡する型を作る。このとき、この型は限界ゲージとして使用するために、少なくともフックの厚みの半分の深さを要する。
定期点検時には、この限界ゲージにフックを嵌めてみて、フックがゲージに入れば使用可能、入らなければ使用不可能と判断する。
【０００９】
また、本発明は、フックの外周の形状を基本形とし、その基本形と同じ形状を、フックの最下点を中心にフックの先端部を、フックの口の開きの限界値分だけフックの口が開くように、外向きに回転させて基本形に重ね合わせ、その両形状を包絡する形状を持つフック検査用限界ゲージである。
【００１０】
フックの口が開くように変形するのは、フックの根元部分から、吊荷の荷重が直接懸かるフックの最下点付近までが、フックの曲りをほどくよう変形した結果であるから、フックの最下点から先の先端部まではほとんど形を変えていないままにフックの口が広がるはずである。したがって、最下点を中心にフックの先端部を外向きに回転させる移動のほうが、上述の平行移動のケースよりも実際の変形に近いとも考えられ、より正確にフックの口の開きの管理ができると期待できる。
【００１１】
この発明を採用することにより、▲１▼現場で容易にフックの口の開きの計測ができ、▲２▼非熟練者でも容易にフックの口の開きが使用限度を超えているか否かの判断ができるという効果が得られる。
【００１２】
さらに、本発明は、限界ゲージとして製作する範囲を、フックの口の周囲の部分に限定した請求項１又は請求項２のフック検査用限界ゲージである。
【００１３】
管理すべきは、フックの口の部分のみであるから、その部分の近傍のみに限定して限界ゲージを作っても、その限界ゲージをフックの適切な場所に当てて使用できれば適用の効果は同じである。一方、フックの口の部分は、図６に示すようにフックの根元側にはフックの外周が最もくびれているところがあるので限界ゲージを当てる場所は明確であり、一方、フックの先端側では先端の位置で限界ゲージを当てる位置が規制されるので、口の近傍のみに限定して作った限界ゲージであっても、それを当てる場所を間違えたり、当てる場所がずれたりして、誤って計測する危険は無い。限界ゲージの使用に当たっては、その一端をフックの先端に当てて、他端をフックの根元側の自然に嵌まり込む方向に押してやれば、所定の位置に落ち着き、そこでフックが限界ゲージの中に入れば使用可能、入らなければ使用不可能である。
一方、フックの口の周囲の部分のみに限定することにより、限界ゲージが一層容易に作れ、かつ、小さくて軽く作れるので、持ち運び・取り扱いが一層容易になる。
【００１４】
この発明を採用することにより、上述の▲１▼と▲２▼の効果に加えて、▲３▼製作、持ち運び、および、取り扱いが一層容易であるという効果が得られる。
【００１５】
さらに本発明は、フックの外周に当たる部分を分離し、その二つの部分を相対的距離、又は、相対的距離及び相対的角度を調整可能につないだ請求項３のフック検査用限界ゲージである。
【００１６】
フックは一般に鍛造で作られるから、大量生産された機種であっても一つ一つの形状はわずかづつ違う。しかも、本ゲージが対象とするフックの外周は、特に厳密な管理を要求するフックの口の内側部分でないので、生産時にその寸法が厳密に管理されていないと想像される。したがって、フックの外周を計測の対象とする以上、一つ一つのフックに対し型を採って、上述のいずれかの方法で限界ゲージを作らねばならず、その手間は容易ではない。
そこで、同じタイプのフックにおいては、口の周囲の部分の外周の曲面の形状にはそう大きな差が無いと推定して、同じタイプのフックのうち一つのフックを基本として、近似的にそのタイプのフックすべてに適用できる限界ゲージの作り方を考えた。
【００１７】
まず、一つのフックを基準としてフックの口の周囲の部分に限定した限界ゲージを作る。フックの外周に当たる部分は左右の二箇所になるから、この二つの部分を分離して相対的距離、又は、相対的距離及び相対的角度を調整可能な形でつないだ限界ゲージを作る。これを多数個製作し、個々のフックに合わせて相対的距離や相対的角度を調節すれば、容易に数多くのフックに一つ一つ対応する限界ゲージを作ることができる。
なお、相対的距離のみ調整可能とするか、相対的距離と相対的角度の両方を調整可能にするかは、フックの外周形状のばらつきが小さければ前者、大きければ後者と考えれば良い。
また、限界ゲージとして機能するのに十分なくらいフックの口の周囲の部分の外周の曲面の形状が近似していれば良いのであるから、この条件に当てはまる限りにおいて、フックの大きさやそのフックが使用される揚重機器の定格容量が異なっている場合にあっても、本限界ゲージは対応可能である。
【００１８】
この発明を採用することにより、上述の▲１▼から▲３▼の効果に加えて、▲４▼数多くのフックに一つ一つ対応する限界ゲージを容易に多数製作できるという効果が得られる。
【００１９】
【発明の実施の形態】
本発明の実施の形態について、図面を参照しながら以下に説明する。なお、本発明は、かかる実施の形態に限定されず、本発明の範囲内でその具体的構造に種々の変更を加えて良いことは言うまでも無い。
【００２０】
図１は、本発明の実施の一形態の平面図である。実線で示すフック１の外周部分の形状１ａ、すなわち、図のフック１の左肩の起点１ｄから外側を通ってフックの先端の終点１ｅまでの線を基本形として、これと同じ形状を、メーカが定める口２の開きの限界値３の分だけ、フックの口の開く方向Ｂの方向に平行移動した形状１ｂを重ね合わせる。なお、これら説明図では、理解しやすくするために、フックの内側の部分も含めて形状を図示しているが、以下の説明で分かるように、この内側の部分は本限界ゲージの作成に直接関係しない。
この両形状１ａと１ｂを包絡する形状の型５を作り、これを限界ゲージとして使用する。
【００２１】
図２には、図１のＣ−Ｃ矢視のフック１及び限界ゲージ５の切断部端面図を示す。限界ゲージの断面形状としては、図（ａ）の５ａのようにフックの形状に沿った曲面から構成される場合と、図（ｂ）の５ｂのように平板を底として持つ場合が最も一般的となろう。いずれの場合も、その深さは、限界ゲージとして働くフックの外周線と接する部分が十分に取れるようにフックの厚みの半分以上あることが必要であり、また、図（ｂ）の場合には、フックが平らに収まるように、次第に厚みが薄くなるフック先端部を支持する適当な形状の支え６を設置することが望ましい。これらの内容は、以下に示す他の実施の形態においても同様である。
【００２２】
図３は、本発明の他の実施の一形態の平面図である。実線で示すフック１の外周部分の形状１ａを基本形として、これと同じ形状を、フックの最下点Ｄを中心にフックの先端部を、メーカが定める口の開きの限界値３の分だけフックの口２が開くように外向きに回転させた形状１ｃと重ね合わせる。この両形状１ａと１ｃを包絡する形状の型７を作り、これを限界ゲージとして使用する。
【００２３】
以上の実施の形態においては、いずれの場合もフックの外周線と接する部分は連続した壁を構成しているが、１ａと１ｂ、あるいは、１ａと１ｃの両形状を包絡する形状の型であれば良いから、包絡線に沿って適当な間隔で不連続の壁を立て並べたり、適当な間隔で棒状片等を立て並べて、外周線に接する部分を構成しても良い。
【００２４】
以上に述べたいずれかの実施の形態を採ることにより、上述の▲１▼と▲２▼の効果に加えて、▲５▼薄板からの叩出しや板材の組合せ、あるいは、板材と棒状材の組合せにより安価に、かつ、簡単に製作できるという効果が得られる。
【００２５】
図４は、本発明の他の実施の一形態の説明図である。図１の実施の形態がフックの外周線１ａと１ｂの全体を包絡する形状を成していたのに対し、本実施の形態においては図（ａ）に示すように、フックの口の周囲の部分に限定して限界ゲージ８を製作したものである。このように製作部分を限定しても、限界ゲージ８の左側部分はフックの肩のくびれ部分対応部８ａにより、また、限界ゲージ８の右側部分はフックの先端部対応部８ｂにより、しっかりと位置決めされ、その機能を損なわない。なお、図３をベースにフックの口の周囲の部分に限定して限界ゲージを製作しても同様である。
図（ｂ）には、その鳥瞰図を示す。
【００２６】
図５は、本発明のさらに他の実施の形態の説明図である。フックの外周に当たる部分１１と１２は、それぞれ底板１３と１４を持ち、底板１３は長穴１５を有するスライド部１６を有し、底板１４はスライド部１６がぴったりと嵌まり込むガイド板１７と固定用のボルト１８が貫通する穴１９を有する。一つのフックを基準としてこの構成の限界ゲージを多数作り、同じタイプのフック一つ一つに合わせて固定用のボルト１８とナット２０で締めて止めることにより、容易に数多くのフックに一つ一つ対応する限界ゲージを作ることができる。
なお、この実施の形態では、フックの外周に当たる部分１１と１２の相対的距離のみ調整可能としているが、ガイド板１７を設けず、あるいは、ガイド板１７とスライド部１６の隙間を開けることにより、相対的距離のみでなく、相対的角度も調整可能にできる。また、一旦固定された相対的距離や相対的角度は、フックの使用寿命の間、不変であることが必要だから、固定用のボルト・ナットに適切な回り止めを施すなり、ボルト・ナットではなくて溶接等、底板１３と１４を一体化させる固定方法を採ることが望ましい。
【００２７】
【発明の効果】
この発明により、現場で容易にフックの口の開きの計測ができ、非熟練者でも容易にフックの口の開きが使用限度を超えているか否かの判断ができ、製作、持ち運び、および、取り扱いが容易であり、また、数多くの同タイプのフックに一つ一つ対応するゲージを容易に多数製作できるという効果が得られる。
【図面の簡単な説明】
【図１】本発明の実施の一形態の平面図である。
【図２】図１のＣ−Ｃ断面の端面図である。
【図３】本発明の他の実施の一形態の平面図である。
【図４】フックの口の周辺の部分に限定して限界ゲージを作成した本発明の実施の一形態の平面図及び鳥瞰図である。
【図５】フックの外周に当たる部分の相対距離を調整可能とした実施の一形態の鳥瞰図及び断面図である。
【図６】フックの正面図及び断面図である。
【符号の説明】
１    フック
１ａ  フックの外周部分の形状（基本形）
１ｂ  基本形を平行移動した形状
１ｃ  基本形をフックの口が開く方向に回転した形状
１ｄ  基本形のフックの左肩の起点
１ｅ  基本形のフックの先端の終点
２    フックの口
３    フックの口の開きの限界値
４    玉掛ワイヤーの外れ防止金具
５    限界ゲージ（型）
５ａ、５ｂ  限界ゲージの断面形状
６    支え
７    限界ゲージ（型）
８    部分的限界ゲージ
８ａ  くびれ部分対応部
８ｂ  先端部対応部
１１、１２  フックの外周に当たる部分
１３、１４  底板
１５    長穴
１６    スライド部
１７    ガイド板
１８    固定用ボルト
１９    穴
２０    固定用ナット
Ｂ    フックの口の開く方向
Ｄ    フックの最下点
【図１】
0004067713.tif 000002
【図２】
0004067713.tif 000003
【図３】
0004067713.tif 000004
【図４】
0004067713.tif 000005
【図５】
0004067713.tif 000006
【図６】
0004067713.tif 000007